(57)【要約】【課題】車両制御装置に関し、乗員の手を煩わすことなく車室の快適性を向上させる。【解決手段】空調装置２と窓開閉装置７とワイパー駆動装置９とを備えた車両１に、第一制御部１１と第二制御部１２とを設ける。第一制御部１１は、外気導入から内気循環への切り替えに際し、窓６の開度を記憶した上で全閉にし、全閉状態での経過時間Tを計測する。一方、第二制御部１２は、内気循環から外気導入への切り替えに際し、経過時間Tが規定時間T0未満かつワイパー８が非作動ならば、窓６の開度を復元する。また、経過時間Tが規定時間T0以上またはワイパー８が作動していれば、窓６の全閉状態を維持する。【選択図】図３
2019217944.tif 000002
【特許請求の範囲】
【請求項１】
空調モードを外気導入と内気循環とに切り替え可能な車両の空調装置と、
前記空調モードに応じて窓の開閉状態を制御する窓開閉装置と、
ワイパーの作動状態を検出するワイパー駆動装置と、
前記外気導入から前記内気循環への切り替えに際し、前記窓の開度を記憶した上で全閉に制御するとともに、全閉状態での経過時間を計測する第一制御部と、
前記内気循環から前記外気導入への切り替えに際し、前記経過時間が規定時間未満かつ前記ワイパーが作動していない場合に前記窓の開度を復元し、前記経過時間が前記規定時間以上または前記ワイパーが作動している場合に前記全閉状態を維持する第二制御部と、
を備えることを特徴とする、車両制御装置。
【請求項２】
前記第二制御部が、トンネル内を走行している前記車両について、前記トンネル内での滞在時間及び車速に応じて前記規定時間を延長する
ことを特徴とする、請求項１記載の車両制御装置。
【請求項３】
前記車両の位置及び前記トンネルの位置を検出するナビゲーション装置を備え、
前記第一制御部が、前記トンネルへ進入する前に前記窓を全閉にし、
前記第二制御部が、前記トンネルを脱した後に前記窓の開閉状態を復元するか前記全閉状態を維持するかを判断する
ことを特徴とする、請求項２記載の車両制御装置。
【請求項４】
乗員が前記外気導入と前記内気循環とを手動で切り替えるための切り替えスイッチを備える
ことを特徴とする、請求項１〜３のいずれか１項に記載の車両制御装置。
【発明の詳細な説明】
【技術分野】
【０００１】
本発明は、車両に搭載された空調装置による外気の導入状態と窓の開閉状態とを連動させて制御する車両制御装置に関する。
【背景技術】
【０００２】
従来、空調装置とパワーウィンドウ装置とを搭載した車両において、空調装置による外気導入を止めて内気循環を実施しつつ窓を閉鎖することで、外気による車室内の汚染を防止する技術が存在する。この技術は、車両が例えばトンネルや地下道路を通行する際に、車室内への外気の進入を一時的に防止するのに利用される。近年では、外気温度やワイパーの作動状態に応じて内気及び外気の割合を調節することも提案されている（特許文献１〜３参照）。なお、車両周囲の環境条件に応じて内気及び外気の割合を調節する制御は、内外気制御とも呼ばれている。
【先行技術文献】
【特許文献】
【０００３】
【特許文献１】特開平10-100815号公報
【特許文献２】特開平11-139225号公報
【特許文献３】特開2017-213972号公報
【発明の概要】
【発明が解決しようとする課題】
【０００４】
上記のような内外気制御は、車両の走行中に空調装置やパワーウィンドウ装置が自動的に調節されるため、利便性が高い。一方、既存の内外気制御では、開始条件のみが判定されており、その終了条件が判定されていないため、手動で外気導入や窓の開放操作を行う必要がある。そこで、開始条件だけでなく終了条件についても自動的に判断して、空調装置やパワーウィンドウ装置の動作を自動化することが考えられる。例えば、トンネルに進入したときに内外気制御を開始し、トンネルの退出時に内外気制御を終了させることが考えられる。あるいは、ワンタッチのボタン操作で内外気制御を開始，終了できるようにすることも考えられる。
【０００５】
しかし、内外気制御の終了条件は車両の走行状況に応じて変化しうるため、内外気制御を終了させない方がよいこともある。例えば、長いトンネルを通過する際に、進入時には晴れていたにもかかわらず、退出時には雨が降っている場合がある。このような場合、窓を開放すると車室内に雨が入ってしまい、車室の快適性が低下しうる。したがって、既存の内外気制御には改良の余地がある。
【０００６】
本件の目的の一つは、上記のような課題に鑑みて創案されたものであり、乗員の手を煩わすことなく車室の快適性を向上させる車両制御装置を提供することである。なお、この目的に限らず、後述する「発明を実施するための形態」に示す各構成から導き出される作用効果であって、従来の技術では得られない作用効果を奏することも、本件の他の目的として位置付けることができる。
【課題を解決するための手段】
【０００７】
（１）ここで開示する車両制御装置は、空調モードを外気導入と内気循環とに切り替え可能な車両の空調装置と、前記空調モードに応じて窓の開閉状態を制御する窓開閉装置と、ワイパーの作動状態を検出するワイパー駆動装置とを備える。また、第一制御部及び第二制御部を備える。前記第一制御部は、前記外気導入から前記内気循環への切り替えに際し、前記窓の開度を記憶した上で全閉に制御するとともに、全閉状態での経過時間を計測する。前記第二制御部は、前記内気循環から前記外気導入への切り替えに際し、前記経過時間が規定時間未満かつ前記ワイパーが作動していない場合に前記窓の開度を復元し、前記経過時間が前記規定時間以上または前記ワイパーが作動している場合に前記全閉状態を維持する。
【０００８】
（２）前記第二制御部が、トンネル内を走行している前記車両について、前記トンネル内での滞在時間及び車速に応じて前記規定時間を延長することが好ましい。
（３）前記車両の位置及び前記トンネルの位置を検出するナビゲーション装置を備えることが好ましい。また、前記第一制御部が、前記トンネルへ進入する前に前記窓を全閉にすることが好ましい。さらに、前記第二制御部が、前記トンネルを脱した後に前記窓の開閉状態を復元するか前記全閉状態を維持するかを判断することが好ましい。
（４）乗員が前記外気導入と前記内気循環とを手動で切り替えるための切り替えスイッチを備えることが好ましい。
【発明の効果】
【０００９】
車両に搭載された空調装置の外気導入モードから内気循環モードへの切り替えに際し、開放されている窓が全閉状態に制御されるため、外気による車室内の汚染を防止することができる。その後、内気循環モードから外気導入モードへの切り替えに際し、ワイパーが作動していれば窓の全閉状態が維持されるため、車室への雨の進入を防止することができる。一方、窓が全閉状態になってから規定時間以内であってワイパーが非作動ならば窓の状態が自動的に復元される。したがって、乗員の手を煩わすことなく車室の快適性を向上させることができる。
【図面の簡単な説明】
【００１０】
【図１】車両制御装置の構成を説明するための図である。
【図２】車両制御装置の機能を説明するためのブロック図である。
【図３】（Ａ），（Ｂ）は車両制御装置の制御内容を説明するための図である。
【図４】車両制御装置による制御の流れを説明するためのフローチャートである。
【発明を実施するための形態】
【００１１】
以下、図面を参照して実施形態としての車両制御装置１０について説明する。また、以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。
【００１２】
車両制御装置１０とは、車両１に搭載される各種装置の作動状態を制御するための電子制御装置（コンピューター）である。この車両制御装置１０には、プロセッサー（中央処理装置），メモリ（メインメモリ），記憶装置（ストレージ），インタフェース装置などが内蔵され、これらが内部バスを介して互いに接続されている。なお、車両制御装置１０には公知のハードウェア構成を適用することが可能である。車両制御装置１０の機能をエアコンECUやボディーECUといった公知のECUに実行させてもよい。
【００１３】
［１．構成］
車両制御装置１０が適用された車両１を図１に示し、車両制御装置１０のシステム構成を図２に示す。車両１の左右側面には開閉可能な窓６が取り付けられ、前方のフロントガラスにはワイパー８が取り付けられる。また、車両１に搭載される空調装置２には、空調風を取り込むための通路として、外気通路３と内気通路４とが接続される。外気通路３は、車両１の外部から空調装置２へと空気を流通させるダクトであり、内気通路４は車室内から空調装置２へと空気を流通させるダクトである。外気通路３と内気通路４との合流箇所には、外気と内気との割合（内外気割合）を変更するための空調用ダンパー５が介装される。空調用ダンパー５の角度を変更することで、空調装置２側へと流れる空調風の内外気割合が変更される。
【００１４】
空調装置２には、車室外の空気（外気）を車室内へ取り込む外気導入モードと、車室内の空気（内気）を循環させる内気循環モードとが設けられる。本実施形態では、外気導入モード時における外気の割合が100％とされ、内気循環モード時には内気の割合が100％とされるものとする。ただし、外気導入モード時の空調風に少量の内気を含ませてもよいし、内気循環モード時の空調風に少量の外気を含ませてもよい。
【００１５】
外気導入モード及び内気循環モードは、空調用ダンパー５の角度を変更することで切り替えられる。空調用ダンパー５の角度は、車両制御装置１０で制御される。また、モードの切り替え条件は、車室内に設けられた空調スイッチ１３（切り替えスイッチ）が乗員に操作されること、または、所定の走行条件が成立することである。外気導入モードから内気循環モードへの切り替えのための走行条件を以下に例示する。本実施形態の車両制御装置１０は、空調スイッチ１３が操作されていない場合であっても、いずれかの条件１〜４が成立したときに、空調装置２の作動モードを自動的に外気導入モードから内気循環モードへと切り替える。
条件１．車両１がトンネルに進入しようとしている
条件２．車両１の前方に大型トラックが走行している
条件３．車両１の周囲の汚染物質（排気ガスや花粉など）の濃度が所定値以上である
条件４．空調装置２に所定出力以上の冷暖房出力が要求されている
【００１６】
また、内気循環モードから外気導入モードへの切り替えのための走行条件を以下に例示する。本実施形態の車両制御装置１０は、空調スイッチ１３が操作されていない場合であっても、いずれかの条件５〜７が成立したときに、空調装置２の作動モードを自動的に内気循環モードから外気導入モードへと切り替える。
条件５．成立していた条件１〜４が不成立になった
条件６．窓６の曇りをとるためのデフロスト制御が実施されている
条件７．車室内の汚染物質（二酸化炭素など）の濃度が所定値以上である
【００１７】
車両１の窓６には、開閉状態を制御するためのウィンドウレギュレーター７（窓開閉装置）が取り付けられる。ウィンドウレギュレーター７は、それぞれの窓６に対して一つずつ用意される。例えば、車両１の左側面に二つの窓６があり、右側面にも二つの窓があり、ルーフ（天井面）にも窓６がある場合には、合計で五つのウィンドウレギュレーター７が設けられる。ウィンドウレギュレーター７の作動状態は、車室内に設けられる窓スイッチ１４（窓開閉スイッチ）を乗員が操作することによって制御される。また、本実施形態のウィンドウレギュレーター７は、空調装置２の作動モードに応じて自動的に制御されうるようになっている。
【００１８】
フロントガラスのワイパー８には、その作動状態を制御するためのワイパーモーター９が取り付けられる。リヤガラスのワイパー８にも同様のワイパーモーター９が設けられる。ワイパーモーター９の作動状態は、レインセンサーの検出情報に基づいて自動的に制御されてもよいし、乗員が手動でワイパーレバー（不図示）を操作する方式としてもよい。なお、ワイパー８が作動しているときには、雨が降っている状況であると考えられる、一方、屋外でワイパー８が非作動ならば、雨が降っていない状況であると考えられる。したがって、ワイパー８の作動状態を利用することで、窓６を開放してもよいか否かを判定することが可能となる。ワイパー８の作動状態に関する情報は、車両制御装置１０に入力される。
【００１９】
ナビゲーション装置１５は、GNSS（Global Navigation Satellite System，全球測位衛星システム）や車速センサー，舵角センサー，ヨーレイトセンサーなどの検出情報に基づいて、車両１の現在位置を計測するための測位装置（電子制御装置）である。ここでは世界測地系を基準として、車両１の位置の情報（緯度，経度，高さの情報）が測定されるとともに、車両１の移動方向（進行方向）や周囲の道路情報が取得される。例えば、車両１の現在位置がトンネルに進入する前の道路上であるのか、トンネル内であるのか、それともトンネルを退出した後の道路上であるのか、といった情報が取得される。これらは、トンネルの出入口と車両１との距離に基づいて判断することができる。このように、ナビゲーション装置１５は、車両１の位置及びトンネルの位置を検出する手段として機能する。
【００２０】
［２．制御］
図２中に示すように、車両制御装置１０には第一制御部１１と第二制御部１２とが設けられる。これらの要素は、車両制御装置１０での制御内容を便器的に分類して示したものであり、個々の要素を独立したプログラムとして記述してもよいし、二つの機能を兼ね備えた複合プログラムとして記述してもよい。
【００２１】
第一制御部１１は、外気導入モードから内気循環モードへの切り替え時に、自動的に実施される制御内容を管理するものである。ここでは、以下の三種類の制御が実施される
制御Ａ．窓６の開度を記憶する
制御Ｂ．開いている窓６を自動的に閉じ、全閉状態にする
制御Ｃ．全閉状態からの経過時間Tを計測する
【００２２】
上記の制御Ａでは、車両１に設けられているすべての窓６の開度（開放の割合や度合いなどの開放状態）が記憶される。例えば、左側面に二つの窓６があり、右側面にも二つの窓があり、ルーフ（天井面）にも窓６がある場合には、五つの開度が記憶される。以下に示す表は、それぞれの窓６を識別するための窓番号とその窓６の開度との関係を例示するものである。
【００２３】
【表１】
2019217944.tif 000003
【００２４】
第二制御部１２は、内気循環モードから外気導入モードへの切り替え時に、自動的に実施される制御内容を管理するものである。ここでは、以下の条件Ａ〜Ｃが成立する場合に限り、すべての窓６の開閉状態を復元する制御が実施される。
条件Ａ．ワイパー８が非作動である
条件Ｂ．制御Ｂが実施されている
条件Ｃ．経過時間Tが規定時間T0未満である
【００２５】
条件Ｃの規定時間T0は、あらかじめ設定された固定値としてもよいし、車両１の走行状態に応じて設定される可変値としてもよい。例えば、車両１がトンネル内を走行している場合に、トンネル内の滞在時間と車速とに応じて規定時間T0を延長してもよい。本実施形態では  トンネル内の滞在時間が長いほど、あるいは車速が遅いほど、規定時間T0が延長されるものとする。
【００２６】
なお、近年では数キロメートル以上のトンネルが多数存在し、例えばアクアトンネル（東京湾アクアライン）は約9.6km、山手トンネル（首都高速中央環状線）は約18kmにもおよぶ。また、トンネルの長さ（延長）が長いほど、入口と出口とで天候が変化する可能性が高く、規定時間T0が短すぎれば天候の変化に対応できなくなってしまう。そのため、規定時間T0は適度な長さに設定することが好ましく、例えば数分〜十数分とすることが考えられる。
【００２７】
図３（Ａ）に示すように、車両１がトンネルに進入しようとすると条件１が成立し、空調装置２の作動モードが自動的に外気導入モードから内気循環モードへと切り替えられたとする。このとき、第一制御部１１はすべての窓６の開閉状態を記憶した上で自動的に全閉とする。これにより、トンネル内に滞留する排気ガスが走行中に車室内に進入することがなくなり、車室内の空気が清浄に保たれる。また、第一制御部１１は、すべての窓６が全閉状態となった時点からの経過時間Tを計測する。
【００２８】
その後、車両１がトンネルを退出すると、空調装置２の作動モードが自動的に内気循環モードから外気導入モードへと切り替えられる。このとき、経過時間Tが規定時間T0未満であってワイパー８が非作動であれば、図３（Ａ）に示すように、窓６の開閉状態が復元される。これにより、空調装置２の作動モードと窓６の開閉状態とがトンネルの前後で同じとなり、乗員の手を煩わすことなく車室の快適性が向上する。一方、図３（Ｂ）に示すように、トンネルの出口側で雨が降っている場合には、乗員の手動操作やオートワイパー機能によってワイパー８が作動した状態となる。これにより、窓６の開閉状態が復元されることなく、全閉状態が維持される。したがって、乗員の手を煩わすことなく車室内への雨の進入が防止される。
【００２９】
［３．フローチャート］
図４は、車両制御装置１０による制御の流れを説明するためのフローチャートである。まず、ナビゲーション装置１５が車両１の現在位置の情報を検出し、その情報を車両制御装置１０に伝達する（ステップＡ１）。続いて、空調装置２の作動モードを外気導入モードから内気循環モードへと切り替えるための条件の成否が判定される（ステップＡ２）。図４の例では上記の条件１が判定されており、すなわち車両１がトンネル前に位置しているか否か（車両１の進行方向である前方に存在するトンネル入口までの距離が所定距離未満であるか）が判定されている。
【００３０】
ステップＡ２の条件が成立する場合にはステップＡ３へ進み、不成立の場合にはステップＡ９へ進む。ステップＡ３では、現在の空調装置２の作動モードが外気導入モードであるか否かが確認される。ここで作動モードが内気循環モードであれば、作動モードを切り替える必要がないため、この演算周期での制御が終了する。一方、作動モードが外気導入モードであれば、その作動モードが内気循環モードへと変更され、外気通路３が閉鎖されるように空調用ダンパー５の角度が制御される（ステップＡ４）。
【００３１】
外気導入から内気循環への切り替えに際し、第一制御部１１は、すべての窓６の開度を記憶する（ステップＡ５）。その後、開放されている窓６をすべて全閉に制御し（ステップＡ６）、全閉状態での経過時間Tの計測を開始する（ステップＡ７）。また、制御用のフラグFをF=1に設定し（ステップＡ８）、この演算周期での制御が終了する。フラグFは、空調装置２の作動モードが外気導入モードから内気循環モードへと切り替えられたことを記憶しておくための変数であり、作動モードが再び外気導入モードへと切り替えられるときに参照される。
【００３２】
ステップＡ２からステップＡ９へ進んだ場合、車両１がトンネル後に位置しているか否か（車両１の後方に存在するトンネル出口までの距離が所定距離未満であるか）が判定される。ステップＡ９の条件が不成立であるときには、車両１がトンネル内に位置している（トンネル内を走行している）か否かが判定され（ステップＡ１０）、この条件が成立する場合に規定時間T0が延長される（ステップＡ１１）。規定時間T0は、車両１がトンネル内に滞在している時間が長いほど延長される。なお、トンネルを通過するのにかかる時間は車速が小さいほど長くなることから、車速が遅いほど規定時間T0の増分を大きくすることが好ましい。これにより、例えばトンネル内で渋滞が発生しているような状況において、規定時間T0の値が適正化される。
【００３３】
ステップＡ９の条件が成立するときには、フラグFがF=1であるか否かが判定される（ステップＡ１２）。ここでフラグFがF=0であれば、空調装置２の作動モードが外気導入モードから内気循環モードへと切り替えられていないため、この演算周期での制御が終了する。一方、フラグFがF=1であれば、作動モードが内気循環モードから外気導入モードへと変更され、内気通路４が閉鎖されるように空調用ダンパー５の角度が制御される（ステップＡ１３）。
【００３４】
内気循環から外気導入への切り替えに際し、第二制御部１２は、経過時間Tが規定時間T0未満であるか否かを判定するとともに（ステップＡ１４）、ワイパー８が非作動であるか否かを判定する（ステップＡ１５）。これらの条件がともに成立する場合にはすべての窓６の開度を復元し（ステップＡ１６）、フラグFをF=0に設定する（ステップＡ１７）。これにより、図３（Ａ）に示すように、窓６の開閉状態がトンネルに進入する前と同じ状態になる。一方、経過時間Tが規定時間T0以上であるかワイパー８が作動中である場合には、窓６の全閉状態を維持したままフラグFをF=0に設定する。これにより、図３（Ｂ）に示すように、車室への雨の進入が防止される。
【００３５】
［４．作用・効果］
（１）上記の車両制御装置１０によれば、外気導入から内気循環への切り替えに際し、開放されている窓が全閉状態に制御されるため、外気が窓から車室内に進入することを防止できる。これにより、乗員が意識的に窓スイッチ１４を操作する手間を省くことができ、例えばトンネル内に滞留している排気ガスによる、車室内の汚染を防止することができる。なお、外気導入から内気循環への切り替え操作は自動であっても手動であってもよいが、乗員の操作負担を軽減するには手動よりも自動とすることが好ましい。同様に、ワイパー８の動作は自動であっても手動であってもよいが、乗員の操作負担を軽減するには手動よりも自動とすることが好ましい。
【００３６】
窓６が全閉状態に制御された後、内気循環から外気導入への切り替えに際して、経過時間Tが長過ぎる場合やワイパー８が作動中であれば、その全閉状態が維持される。これにより、トンネルの出口側で雨が降っていたような場合であっても、車室への雨の進入を防止することができる。一方、経過時間Tが規定時間T0内であってワイパー８が非作動ならば、窓６の開閉状態が復元される。これにより、トンネルに入る前と同じ室内環境を再現することができる。したがって、乗員の手を煩わすことなく車室の快適性を向上させることができる。
【００３７】
（２）上記の規定時間T0は、車両１のトンネル内での滞在時間や車速に応じて延長される。すなわち、滞在時間が長いほど規定時間T0が延長されるとともに、車速が遅いほど規定時間T0が延長される。このような設定により、規定時間T0を適正化することができ、例えばトンネル内における渋滞の有無や走行速度の大小に依らずに、窓６の開閉状態を適切に制御することができる。また、長いトンネルであるほど規定時間T0が長くなることから、トンネルの延長に依存することなく、出口付近での天候変化に対応する窓６の開閉状態を実現することができる。
【００３８】
（３）上記の車両１では、ナビゲーション装置１５でトンネルの位置を検出し、トンネルへ進入する前に窓６が全閉に制御される。また、トンネルを脱した後には、窓６の開閉状態を復元するか全閉状態を維持するかが判断されている。このように、トンネルの前後で空調装置２の作動モードと窓６の開閉状態とを連動させることで、排気ガスによる車室内の汚染を防止しつつ適度に換気することができ、車室の快適性をさらに向上させることができる。また、乗員がトンネルの有無を意識する必要がなく、利便性を向上させることができる。
【００３９】
（４）上記の車両１には空調スイッチ１３が設けられており、乗員の手動操作で空調装置２の作動モードを切り替えられるようになっている。このような手動操作においても、空調装置２の作動モードと窓６の開閉状態とを連動させることができ、利便性をさらに向上させることができる。つまり特別な事情がない限り、乗員は窓スイッチ１４を操作する必要がなくなり、空調スイッチ１３のみの操作で窓６の開閉状態を適切に制御することができる。
【００４０】
［５．変形例］
上記の実施形態はあくまでも例示に過ぎず、本実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。例えば、上述の実施形態における車両制御装置１０は、エアコンECUやボディーECUなどに内蔵させることが可能である。少なくとも、第一制御部１１及び第二制御部１２として機能する手段を用意すれば、上述の実施形態と同様の作用効果を奏するシステムを実現可能である。
【符号の説明】
【００４１】
１  車両
２  空調装置
３  外気通路
４  内気通路
５  空調用ダンパー
６  窓
７  ウィンドウレギュレーター（窓開閉装置）
８  ワイパー
９  ワイパーモーター（ワイパー駆動装置）
１０  車両制御装置
１１  第一制御部
１２  第二制御部
１３  空調スイッチ（切り替えスイッチ）
１４  窓スイッチ
１５  ナビゲーション装置
F  フラグ
T  経過時間
T0  規定時間
【図１】
2019217944.tif 000004
【図２】
2019217944.tif 000005
【図３】
2019217944.tif 000006
【図４】
2019217944.tif 000007